(57)【要約】【課題】部品数が少なく側圧調整が容易なヘッドホンを提供する。【解決手段】ヘッドホン(51)はヘッドパッド(11)とバンド(12)とスリーブ(13)とを有する。ヘッドパッド(11)は第１の曲率半径(R1)で弧状に形成されている。バンド(12)は、ヘッドパッド(11)の端部から第１の曲率半径(R1)とは異なる第２の曲率半径(R2)で弧状に延出し、スピーカユニット(SP)を収容したハウジング(31)をハンガー部(21)を介して支持する。スリーブ(13)は、第１の曲率半径(R1)で弧状に形成され、バンド(12)を覆うようにヘッドパッド(11)に対しスライドすると共に、バンド(12) を覆った部分の曲率半径を第１の曲率半径(R1)に近くなるよう変形させる。【選択図】図１
2020014108.tif 000002
【特許請求の範囲】
【請求項１】
第１の曲率半径で弧状に形成されたヘッドパッドと、
前記ヘッドパッドの端部から前記第１の曲率半径とは異なる第２の曲率半径で弧状に延出し、スピーカユニットを収容したハウジングをハンガー部を介して支持するバンドと、
前記第１の曲率半径で弧状に形成され、前記バンドを覆うように前記ヘッドパッドに対しスライドすると共に、前記バンドを覆った部分の曲率半径を前記第１の曲率半径に近くなるよう変形させるスリーブと、
を備えたヘッドホン。
【請求項２】
前記スリーブの曲げ剛性は、前記バンドの曲げ剛性よりも大きいことを特徴とする請求項１記載のヘッドホン。
【請求項３】
前記スリーブは、前記ヘッドパッドの内部に少なくとも一部が収容可能であることを特徴とする請求項１又は請求項２記載のヘッドホン。
【請求項４】
前記スリーブは、前記ヘッドパッドに対するスライド量を把握可能なマークを有していることを特徴とする請求項１〜３のいずれか１項に記載のヘッドホン。
【発明の詳細な説明】
【技術分野】
【０００１】
本発明は、側圧調整可能なヘッドホンに関する。
【背景技術】
【０００２】
頭部装着時の側圧を調整可能なヘッドホンが特許文献１に記載されている。
【先行技術文献】
【特許文献】
【０００３】
【特許文献１】特開２０１７−０９８８６９号公報
【発明の概要】
【発明が解決しようとする課題】
【０００４】
特許文献１に記載されたヘッドホンは、本来のヘッドバンドに対応し左右の耳の付近を両端として頭部に掛け渡される板ばねと、その板ばねに加えて側圧を調整するための、側圧調整用ばね，アジャスタ部，及び両部材間に介在させるスペーサを備えている。
【０００５】
そのため、特許文献１に記載されたヘッドホンは、側圧を調整するための部品数が多いという点で改善の余地がある。
また、側圧の調整量を視覚的に把握しにくいので、例えばヘッドホンを複数の使用者で共同使用した場合、各使用者の最適側圧に即時に調整しにくい、など、側圧調整が容易ではないという点で改善の余地がある。
【０００６】
そこで、本発明は、部品数が少なく側圧調整が容易なヘッドホンを提供することを目的とする。
【課題を解決するための手段】
【０００７】
上記の課題を解決するために、本発明は次の１）の構成を有する。
１）  第１の曲率半径で弧状に形成されたヘッドパッドと、
前記ヘッドパッドの端部から前記第１の曲率半径とは異なる第２の曲率半径で弧状に延出し、スピーカユニットを収容したハウジングをハンガー部を介して支持するバンドと、
前記第１の曲率半径で弧状に形成され、前記バンドを覆うように前記ヘッドパッドに対しスライドすると共に、前記バンドを覆った部分の曲率半径を
が前記第１の曲率半径に近くなるよう変形させるスリーブと、
を備えたヘッドホンである。
【発明の効果】
【０００８】
本発明によれば、部品数が少なく側圧調整が容易である、という効果が得られる。
【図面の簡単な説明】
【０００９】
【図１】図１は、本発明の実施の形態に係るヘッドホンの実施例であるヘッドホン５１の第１の状態を示す前面図である。
【図２】図２は、ヘッドホン５１が備えるバンド１２を示す前面図である。
【図３】図３は、ヘッドホン５１の第２の状態を示す前面図である。
【図４】図４は、ヘッドホン５１の第３の状態を示す前面図である。
【図５】図５は、ヘッドホン５１が有するヘッドパッド１１の縦断面図である。
【図６】図６は、図５におけるＳ６−Ｓ６位置での断面図である。
【図７】図７は、ヘッドホン５１の第１の状態におけるバンド１２を示す部分斜視図である。
【図８】図８は、ヘッドホン５１の第２の状態におけるバンド１２を示す部分斜視図である。
【図９】図９は、第２変形例のヘッドホン５２Ａの第１の状態を示す前面図である。
【図１０】図１０は、ヘッドホン５２Ａの第２の状態を示す前面図である。
【発明を実施するための形態】
【００１０】
本発明の実施の形態に係るヘッドホンを、実施例のヘッドホン５１などにより説明する。
【００１１】
（実施例）
ヘッドホン５１の構成を、図１〜図４を参照して説明する。
図１に示されるように、ヘッドホン５１は、ヘッドバンド１と、ヘッドバンド１の左端に取り付けられた左耳用のハンガー部２１及びハウジング３１と、右端に取り付けられた右耳用のハンガー部２１及びハウジング３１と、を有する。
【００１２】
ヘッドバンド１はヘッドパッド１１を有し、ヘッドパッド１１にはスリーブ１３が出入り自由に収容される。スリーブ１３は、指により、ヘッドパッド１１から延出するバンド１２に沿ってスライドさせて、ヘッドパッド１１から任意の量で引き出し可能になっている。
図１は、スリーブ１３を最もヘッドパッド１１側にスライドさせて収容した第１の状態のヘッドホン５１を示す。
上下左右の各方向を、便宜的に図１に示された矢印の方向で規定する。また、図１の紙面手前側を後方とする。
ヘッドホン５１は、スリーブ１３の引き出し量に応じた側圧が得られる。側圧は、イヤーパッド３２を介してヘッドホン５１の使用者の側頭部へ付与される圧力である。これにより、ヘッドホン５１の使用者は、スリーブ１３の引き出し量を調整して側圧の大きさを調整することができる。
【００１３】
ハンガー部２１は、下部にハウジング３１をピボット支持するピボット支持部２１１を有する。ハウジング３１は、内部にスピーカユニットＳＰを収容し、図１に示される状態で他方のハウジング３１に向け音を放出する。ハウジング３１における音放出面側には、ヘッドホン５１を頭部に装着したときに耳当てとなるイヤーパッド３２が取り付けられている。
【００１４】
ハンガー部２１は、一般的なヘッドホンとして周知の構造により、バンド１２に対し上下位置を調整可能となっている。図１，図３，及び図４は、ハンガー部２１がバンド１２に対し最上位置にある状態を示している。
【００１５】
ヘッドバンド１は、ヘッドパッド１１，バンド１２，及びスリーブ１３を有する。
ヘッドパッド１１は、ヘッドホン５１を頭部に装着した際に、例えば頭頂部に位置する部材であり、前面視で概ね半径Ｒ１の円弧状となる鞘状の筒体として形成されている。ヘッドパッド１１は、例えば樹脂製の複数の部材が組み合わされて構成されている。
【００１６】
図２は、バンド１２の前面図である。
バンド１２は、金属又は樹脂で形成され、湾曲した帯状部材である。バンド１２は、曲率半径の拡縮方向に可撓性を有する。
バンド１２は、前面視において、半径Ｒ１で円弧状に形成された中央部１２４と、中央部１２４の両端に接続し、前面視において半径Ｒ２で円弧状に形成された一対の延出部１２５，１２５と、延出部１２５それぞれの先端から平板状に延びる一対の端部１２６，１２６と、を有する。半径Ｒ１は、一般的な人の頭部の平均曲率半径に近い値とされる。
【００１７】
中央部１２４は、ヘッドパッド１１と同じ半径Ｒ１で形成されており、ヘッドパッド１１内に挿通して固定される部分である。
延出部１２５は、ヘッドパッド１１の長手方向端部から外部に延出する部分であって、半径Ｒ１と異なる半径Ｒ２で円弧状に形成されている。
端部１２６は、平板状に形成され、ハンガー部２１に連結しその内部に収められる部分である。
バンド１２の曲げ剛性は、スリーブ１３の曲げ剛性よりも小さくなっている。
以下、半径Ｒ２を半径Ｒ１よりも小さくした場合を説明する。
【００１８】
ヘッドパッド１１の構成及びスリーブ１３の動作の詳細を、図５及び図６を主に参照して説明する。図５は、ヘッドパッド１１の前後方向中央位置での縦断面図であり、図６は、図５におけるＳ６−Ｓ６位置での断面図である。
【００１９】
スリーブ１３は、前面視でヘッドパッド１１及びバンド１２の中央部１２４と同じく、半径Ｒ１を平均半径とする円弧状の鞘状筒体として、樹脂又は金属により形成されている。既述のように、スリーブ１３は、その曲げ剛性がバンド１２の曲げ剛性よりも大きいものとして形成されている。
【００２０】
スリーブ１３は、鞘状のヘッドパッド１１の内部に少なくとも一部が出入り可能に収容される。
また、鞘状のスリーブ１３は、バンド１２に対し、その曲率をスリーブ１３の曲率に合わせるように矯正しながら、バンド１２から受ける弾性反発力に抗して長手方向にスライド可能に取り付けられている。
スリーブ１３のバンド１２の曲率を矯正しながらのスライド動作は、使用者の指によって可能となるように、バンド１２及びスリーブ１３の曲げ剛性、並びに、バンド１２の弾性反発力などが調整されている。
【００２１】
この構造により、ヘッドバンド１は、スリーブ１３の位置によって次の第１〜第３の状態をとる。
第１の状態は、スリーブ１３がヘッドパッド１１に最も深く収容された状態（図１）である。第２の状態は、スリーブ１３がヘッドパッド１１からバンド１２に沿って最も引き出された状態（図３）である。第３の状態は、第１の状態と第２の状態との中間の、スリーブ１３が第１の状態から最大を除く任意の量だけ引き出された状態（図４）である。
【００２２】
図５に示されるように、ヘッドパッド１１は、前面視でバンド１２の中央部１２４が挿通される径位置で半径Ｒ１となる同心円弧状に形成されたパッド基部１１１を有する。
パッド基部１１１は、横断面形状が矩形で左右対称の鞘状筒体として形成されている。
パッド基部１１１は、左右方向の中央部に形成された仕切り壁としての固定壁部１１３と、固定壁部１１３により左右に区切られた内部空間であって、それぞれ左端，右端を開口部とする一対の収容部１１２，１１２と、を有する。
収容部１１２，１１２は左右対称形状であり、以下、代表として左側の収容部１１２を説明する。
【００２３】
収容部１１２は、横断面形状が矩形を呈する（図６参照）。
収容部１１２の上側の内壁１１２ｂには、左端部に近い位置に下方に突出するストッパ１１２ａを有する。
収容部１１２の下側の内壁１１２ｃには、ストッパ１１２ａに対向した位置に上方に突出する係合腕部１１４が形成されている。
係合腕部１１４は、上下方向に可撓性を有する腕片部１１４ａと、腕片部１１４ａの先端に、前後方向に延びる半円柱状で上方に突出した係合凸部１１４ｂと、を有する。
【００２４】
固定壁部１１３には、左右の収容部１１２，１１２を連通する貫通孔１１３ａを有する。貫通孔１１３ａにはバンド１２が挿通され、バンド１２は、その中央部が貫通孔１１３ａに接着剤などによって固定され、ヘッドパッド１１と一体化されている。
【００２５】
次に、スリーブ１３を説明する。
スリーブ１３は、ヘッドバンド１において２個用いられ、左右一対の収容部１１２，１１２それぞれに左右対称となる姿勢で収容されている。
以下、左側の収容部１１２に収容されるスリーブ１３を代表として説明する。
【００２６】
スリーブ１３は、前面視が円弧状で横断面形状が矩形の鞘状部材である。
スリーブ１３は、両端面に開口し半径Ｒ１で形成された円弧状の貫通孔１３８を有する。貫通孔１３８にはバンド１２が摺動自在に挿通されている。
スリーブ１３は、基部１３２とスリーブ頭部１３１と、を有する。基部１３２は、その全体が収容部１１２に収容され得る。スリーブ頭部１３１は、基部１３２の一方（左方）の端部において全周で外方向に張り出し、パッド基部１１１の端面１１５に突き当てられる。
【００２７】
スリーブ１３は、外側溝部１３５を有する。外側溝部１３５は、基部１３２における、ヘッドバンド１の外径側となる面において、前後方向の中央部にヘッドバンド１の内径側に向け抉られた部位である。外側溝部１３５は、スリーブ頭部１３１の根本から基部１３２の右側端部近傍まで形成され、外側溝部１３５の右側端は、壁としての当て部１３４となっている。
当て部１３４は、スリーブ１３をスライドさせてヘッドパッド１１から引き出したときに、設定された最大引き出し位置でストッパ１１２ａに当接し、それ以上のスライドを規制する。
【００２８】
外側溝部１３５の底面には、わずかな凹部として形成されたマーク１３７ａ（図６及び図８参照）が、複数所定間隔で形成され、スリーブ長指示部１３７を構成している。
スリーブ長指示部１３７は、図８に示されるように、スリーブ１３の長手方向に所定間隔で例えば凹部として形成されたマーク１３７ａの群であり、使用者が調整量を視覚で把握できる調整量把握部ＴＨである。
【００２９】
スリーブ１３は、内側溝部１３６を有する。内側溝部１３６は、基部１３２における、ヘッドバンド１の内径側となる面において、前後方向の中央部にヘッドバンド１の外径側に向け抉られた部位である。内側溝部１３６は、基部１３２の全長手、すなわち、スリーブ頭部１３１の根本から基部１３２の右側端部まで連続して形成されている。
内側溝部１３６の底面には、半円断面で前後方向に抉り延びる係合凹部１３３が、左右方向に所定ピッチで複数形成されている。この複数の係合凹部１３３をまとめて係合凹部群１３３Ｇと称する。
各係合凹部１３３は、スリーブ１３をヘッドパッド１１の収容部１１２に挿入移動した際に、ヘッドパッド１１の係合凸部１１４ｂが係合可能となるように形成されている。
【００３０】
図７及び図８は、それぞれヘッドバンド１の第１の状態及び第２の状態におけるバンド１２及びその近傍を示す部分斜視図である。
図７に示されるように、バンド１２の外面１２２にはハンガー位置指示部１２１が形成されている。ハンガー位置指示部１２１は、わずかに凹んだマーク１２１ａ，１２１ｂの複数個の群として、ハンガー部２１の上下方向の調整位置の目印として形成されている。ハンガー位置指示部１２１は、調整位置を使用者が視覚で把握できるための調整量把握部ＴＨとして形成されている。
目印は、例えば図３に示されている、線状のマーク１２１ａ或いは数字のマーク１２１ｂである。
これにより、図７に示されるように、ハンガー部２１を矢印ＤＲ３方向に上方移動して上下位置を調整したときに、ハンガー部２１に隠れずに残る目盛りによって、ハウジング３１を支持したハンガー部２１の移動後の位置を容易に視覚で把握できる。
【００３１】
上述のヘッドパッド１１の構造により、ヘッドホン５１の使用者は、スリーブ１３を指でスライドしてパッド基部１１１に対し出入りさせることができる（図８：矢印ＤＲ５参照）。
また、スリーブ１３をパッド基部１１１に対して出入り移動させると、スリーブ１３の係合凹部群１３３Ｇのうちの、スリーブ１３の出入り量に対応した係合凹部１３３に、パッド基部１１１の係合凸部１１４ｂが弾性的に係合する。係合凸部１１４ｂと係合凹部１３３との係合は、スリーブ１３を、ある程度の力をかけて移動させることで解消できる。
これにより、使用者は、スリーブ１３をパッド基部１１１からの出入り移動させた際に、所定の移動間隔でクリック感が得られる。また、スリーブ１３は、任意の引き出し位置において、指で解除可能な程度で保持される。
【００３２】
調整量把握部ＴＨとしてのスリーブ長指示部１３７は、図８に示されるように、所定の間隔で形成された複数のマーク１３７ａの群である。これにより、使用者は、スリーブ１３の引き出し位置、すなわち引き出し量を視覚で把握することが容易であるし、再現性の高い調整を行うことができる。
また、スリーブ１３における内側溝部１３６の底面に形成された複数の係合凹部１３３の所定ピッチと、複数のマーク１３７ａの所定の形成間隔とを一致させると、スリーブ１３の引き出し位置と引き出し量との関連性が高くなるので、調整作業がより容易になる。
【００３３】
このように、ヘッドホン５１は、バンド１２に対するハンガー部２１の上下調整位置とバンド１２に対するスリーブ１３の引き出し位置とが、それぞれハンガー位置指示部１２１とスリーブ長指示部１３７との設置により視覚で把握可能となっている。
【００３４】
上述のヘッドバンド１を有するヘッドホン５１は、既述のように、スリーブ１３のヘッドパッド１１からの引き出し量を変えることで側圧を調整することができる。この側圧の調整について次に詳述する。
【００３５】
図１，図３，及び図４において、ヘッドホン５１は、それぞれ第１の状態，第２の状態，及び第３の状態において力の付与されていない自然状態が示されている。
ヘッドホン５１を使用する場合、使用者は、一対のハウジング３１，３１を左右方向に広げた状態で自身の頭部に装着する。
これにより、ヘッドバンド１は、外側に広がって曲率が小さくなる方向に弾性変形する。そのため、その弾性変形で生じたヘッドバンド１の弾性反発力がイヤーパッド３２を介して耳或いは側頭部を押し、使用者に側圧として知覚される。
【００３６】
ここで、図１に示されたハンガー部２１におけるハウジング３１の支持位置を基準点Ｐ２１として、ヘッドバンド１の拡張変形を評価する。
この場合、図１に示される一対のハウジング３１，３１において、それぞれの基準点Ｐ２１間の左右距離を距離Ｌ０とする。
【００３７】
図１に示される第１の状態のヘッドホン５１を頭部に装着した場合、基準点Ｐ２１は、ヘッドバンド１が広がって元々の基準点Ｐ２１よりも外側の使用時基準点Ｐ２αに移動する（矢印ＤＲ１参照）。
基準点Ｐ２の使用時基準点Ｐ２αまでの移動距離Ｌ１は、ヘッドバンド１の先端部位の変形量に概ね相当する。
使用時基準点Ｐ２αは、バンド１２の延出部１２５が半径Ｒ１で形成されていたとした場合の基準点Ｐ２１の位置よりも外側に設定される。
【００３８】
ヘッドバンド１の変形は、ヘッドパッド１１，ハンガー部２１，及びスリーブ１３の曲げ剛性がバンド１２の曲げ剛性よりも十分大きいことから、実質的にバンド１２の延出部１２５のみが変形する。この場合、バンド１２におけるスリーブ頭部１３１の根本位置が変形支点Ｐ１となる。
そして、バンド１２の延出部１２５は、半径Ｒ１よりも小さい半径Ｒ２から半径Ｒ１よりも大きい使用時の半径（以下、使用時半径と称する）まで変形するので、使用状態での延出部１２５の弾性反発力は、少なくとも半径Ｒ１から使用時半径まで変形する場合よりも大きい。
【００３９】
一方、図３に示される第２の状態のヘッドホン５１の自然状態では、バンド１２の延出部１２５の大分部がスリーブ１３により覆われ、覆われた部分の曲率半径が半径Ｒ１となるように矯正されている。
従って、この場合の一対の基準点Ｐ２２間の距離Ｌ２は、第１の状態の基準点間の距離Ｌ０よりも大きい。すなわち、基準点Ｐ２２は、第１の状態の基準点Ｐ２１と比べて距離Ｌ２２だけ使用時基準点Ｐ２αに近い位置にある。
そのため、第２の状態のヘッドホン５１を頭部に装着したとき、延出部１２５の変形は、半径Ｒ１から使用時半径までとなり、第１の状態の場合よりも変形度合いが小さくなる。
従って、第２の状態のヘッドホンを使用状態にした場合の延出部１２５の弾性反発力は、第１の状態の同様の場合よりも小さく、使用者が感じる側圧も小さくなる。
【００４０】
図４に示される第３の状態のヘッドホン５１の自然状態では、バンド１２の延出部１２５の第２の状態よりも少ない部分がスリーブ１３により覆われ、覆われた部分の曲率半径が半径Ｒ１に矯正されている。
そのため、第３の状態の延出部１２５全体としての矯正量は、第２の状態の矯正量よりも小さい。
従って、第３の状態における一対の基準点Ｐ２３間の距離Ｌ３は、第１の状態での距離Ｌ０より大きく第２の状態での距離Ｌ２よりも小さい。
従って、第３の状態のヘッドホン５１を使用状態にした際に使用者が感じる側圧は、第１の状態と第２の状態との間にあり、使用者はスリーブ１３のスライド量に応じて側圧を最大と最小との間の任意の大きさに調整することができる。
【００４１】
上述のように、ヘッドホン５１は、スリーブ１３をスライドさせることによって、バンド１２の延出部１２５の曲率半径を調整できる。
延出部１２５の第２の状態における曲率半径は、第１の状態における曲率半径よりも大きい。
そのため、各状態のヘッドホン５１を頭部に装着したときの延出部１２５の変形度合いは、第２の状態の場合の方が、第１の状態の場合よりも小さく弾性反発力が小さくなる。すなわち、使用者が感じる側圧が小さくなる。
【００４２】
ヘッドホン５１は、この側圧調整を、ハンガー部２１の上下位置の調整を伴わずに独立して行える。そのため、使用者は、自身の頭部形状或いは好みの装着感に応じた側圧調整を、きめ細かく、かつ容易に行える。
また、ヘッドホン５１は、ハンガー位置指示部１２１及びスリーブ長指示部１３７を有している。そのため、使用者は、ハンガー部２１の上下調整位置及びスリーブ１３のヘッドパッド１１からの引き出し量を視覚で把握でき、側圧調整をより容易に行える。
このように、ヘッドホン５１は、少ない部品数で側圧調整が可能になっている。
【００４３】
また、ヘッドホン５１は、側圧調整作業を、スリーブ１３のヘッドパッド１１からの出入りのみで行うことができ、ねじを回すなどの回転操作が不要である。そのため、ヘッドホン５１は、側圧調整の時間が短くて済み、その調整作業が容易である。
【００４４】
また、ヘッドホン５１は、左耳用及び右耳用のハウジングそれぞれについて独立して側圧を調整できる。そのため、使用者は、左右の装着側圧のバランスを意図的に変えたい場合や、左右異なる形状の髪型でヘッドホン５１を装着したい場合においても、左耳及び右耳に対する側圧それぞれを、好みの圧力に調整して、ヘッドホン５１をより良好な感触で装着することができる。
【００４５】
以上詳述した実施例は、上述の構成に限定されるものではなく、本発明の要旨を逸脱しない範囲において変形してもよい。
【００４６】
ヘッドホン５１は、バンド１２の延出部１２５に設定された半径Ｒ２を、スリーブ１３及びヘッドパッド１１に設定された半径Ｒ１よりも大きいように変形したヘッドホン５２としてもよい。
この変形例のヘッドホン５２では、スリーブ１３をヘッドパッド１１に最も入れ込んだ状態で一対のハウジング３１，３１が最も開き、スリーブ１３をヘッドパッド１１から最も引き出した状態で一対のハウジング３１，３１が最も接近する。
すなわち、ヘッドホン５２は、スリーブ１３をヘッドパッド１１に最も入れ込んだ状態で、使用状態での延出部１２５の変形が最も少ない実施例のヘッドホン５１における第２の状態に相当する状態となる。また、ヘッドホン５２は、スリーブ１３をヘッドパッド１１から最も引き出した状態が、使用状態での延出部１２５の変形が最も大きい実施例のヘッドホン５１における第１の状態に相当する状態となる。
【００４７】
また、ヘッドホン５２は、延出部１２５がスリーブ１３で覆われた場合にスリーブ１３の曲率半径が半径Ｒ１に矯正される点は、ヘッドホン５１と同じである。そのため、図３はスリーブ１３を最も引き出した状態のヘッドホン５２でもある。
【００４８】
このように、ヘッドホン５１，５２は、スリーブ１３をスライドさせることで側圧調整が可能である。スリーブ１３をヘッドパッド１１から引き出すことで、ヘッドホン５１は側圧が小さくなり、ヘッドホン５２は側圧が大きくなる。
ヘッドホン５１，５２は、バンド１２の延出部１２５の曲率半径の設定のみが異なり、実質的に構造は同じである。
そのため、ヘッドホン５２は、ヘッドホン５１と同様に、部品数が少なく側圧調整が容易となる効果が得られる。
【００４９】
ハンガー位置指示部１２１及びスリーブ長指示部１３７は、調整量把握部ＴＨであって、視覚に限らず触覚で把握可能に形成されていてもよい。
ヘッドホン５１，５２は、上述の左右一対のハウジング３１を有するいわゆるステレオタイプに限定されず、頭部に装着するヘッドバンドと頭部の一方側の耳に対応するハウジング３１と頭部の他方側に当接させる当てパッドと、を有し、他方側の耳が開放される態様のいわゆる片耳タイプであってもよい。
ヘッドホン５１は、ヘッドバンド１を頭部の頭頂部に掛け渡す態様のものを説明したが、ヘッドバンド１を後頭部或いは首の後方側へ掛け渡すタイプであってもよい。ヘッドホン５２についても同様である。
【００５０】
ヘッドホン５１は、ヘッドパッド１１に挿通され左右端部がヘッドパッド１１から延出した一つのバンド１２を有するものとして説明したが、これに限定されるものではない。例えば、ヘッドホン５１は、ヘッドパッド１１の固定壁部１１３を貫通せずに一端側が固定され他端側にハンガー部２１及びハウジング３１が取り付けられた片耳用のバンドを、左右一対として備えたものであってもよい。ヘッドホン５２についても同様である。
【００５１】
ヘッドホン５１，５２において、スリーブ１３は、バンド１２を完全に露出させずに覆うものに限定されない。
スリーブ１３は、例えば、軽量化或いは意匠品質向上のために、基部１３２にバンド１２を露出させる開口部を有していてもよい。開口部は、例えば、丸孔、角孔、細長孔などの孔、或いは端部から切り込まれて基部１３２の長手方向に延びるスリットであってもよい。
【００５２】
ヘッドホン５１，５２において、スリーブ１３は、ヘッドパッド１１の内部の収容部１１２に収容され、バンド１２に沿って出入りするものに限定されない。
例えば、スリーブ１３は、ヘッドパッド１１のパッド基部１１１の外側に嵌合してバンド１２に沿って移動可能なものであってもよい。
この変形をヘッドホン５１に対し施したヘッドホン５１Ａ及びヘッドホン５２に対し施したヘッドホン５２Ａのうちのヘッドホン５２Ａを、第２変形例として図９及び図１０を参照して説明する。
図９は、ヘッドホン５２Ａにおいて、スリーブ１３Ａをハンガー部２１から遠い側にスライド移動させた第１の状態の前面図である。図１０は、図７に示されるヘッドホン５２Ａの第１の状態に対し、スリーブ１３Ａを最もハンガー部２１側にスライド移動させた第２の状態の前面図である。
【００５３】
ヘッドホン５２Ａは、ヘッドバンド１Ａと、ハンガー部２１及びハウジング３１と、を有する。ヘッドバンド１Ａは、ヘッドパッド１１Ａと、バンド１２Ａとスリーブ１３Ａと、を有する。
スリーブ１３Ａはヘッドパッド１１Ａにおけるパッド基部１１１Ａの外側に嵌合している。そのため、図９の第１状態でヘッドパッド１１Ａはスリーブ１３Ａに覆われている。また、ヘッドパッド１１Ａは、スリーブ１３Ａが図１０の矢印ＤＲ６のようにスライドすることで露出する。スリーブ１３Ａは、ヘッドパッド１１Ａとしての機能を有して長手方向にスライド可能となっている。
バンド１２Ａは、ヘッドパッド１１Ａ内に収められた部分が半径Ｒ１の円弧形状に形成され、ヘッドパッド１１Ａの両端から延出した延出部１２５Ａ（図９）が、半径Ｒ１よりも大きい半径Ｒ２の円弧形状に形成されている。
【００５４】
第１の状態からスリーブ１３Ａを矢印ＤＲ６のようにスライドさせることで、スリーブ１３Ａよりも曲げ剛性が小さく設定されている延出部１２５Ａは、スリーブ１３Ａによって曲率半径がスリーブ１３Ａと同等の半径Ｒ１になるように矯正される（図１０）。
これにより、自然状態のハウジング３１，３１間距離を小さくする方向に調整でき、実施例のヘッドホン５１と同様に、側圧調整をスリーブ１３Ａのスライド操作のみで行うことができる。
【００５５】
次に、ヘッドホン５２Ａにおけるバンド１２Ａの延出部１２５Ａに設定された半径Ｒ２を、スリーブ１３Ａ及びヘッドパッド１１Ａに設定された半径Ｒ１よりも小さくしたヘッドホン５１Ａを、第３変形例として説明する。
この第３変形例のヘッドホン５１Ａでは、自然状態において、スリーブ１３Ａをヘッドパッド１１Ａに最も深く被せたときに一対のハウジング３１，３１間の距離が最小となり、スリーブ１３Ａをヘッドパッド１１Ａから最も引き出したときに一対のハウジング３１，３１間の距離が最大となる。
すなわち、ヘッドホン５１Ａは、スリーブ１３Ａをヘッドパッド１１Ａに最も被せ込んだ状態で、使用状態での延出部１２５Ａの変形が最も大きい実施例のヘッドホン５１における第１の状態に相当する状態となる。また、ヘッドホン５１Ａは、スリーブ１３Ａをヘッドパッド１１Ａから最も引き出した状態が、使用状態での延出部１２５Ａの曲率が最も大きい実施例のヘッドホン５１における第２の状態に相当する状態となる。
【００５６】
また、ヘッドホン５１Ａは、延出部１２５Ａがスリーブ１３Ａで覆われた場合にスリーブ１３Ａの曲率半径が半径Ｒ１に矯正される点は、ヘッドホン５２Ａと同じである。そのため、図１０はスリーブ１３Ａを最も引き出した状態のヘッドホン５１Ａでもある。
【００５７】
このように、ヘッドホン５１Ａ，５２Ａは、スリーブ１３Ａをスライドさせることで側圧調整が可能である。スリーブ１３Ａをヘッドパッド１１Ａから引き出すことで、ヘッドホン５１Ａは側圧が小さくなり、ヘッドホン５２Ａは側圧が大きくなる。
ヘッドホン５１Ａ，５２Ａは、バンド１２Ａの延出部１２５Ａの曲率半径の設定のみが異なり、実質的に構造は同じである。
そのため、ヘッドホン５１Ａは、ヘッドホン５２Ａと同様に、部品数が少なく側圧調整が容易となる効果が得られる。
【００５８】
ヘッドパッド１１及びヘッドパッド１１に対しスライドするスリーブ１３は、円弧状に形成されることで良好にスライド可能であるが、完全に円弧でなくてもスライド可能であればよい。
また、スリーブ１３によって矯正されるバンド１２の延出部１２５は、矯正されるため、円弧状でなくてもよく、弧状に形成されていればよい。
従って、ヘッドパッド１１，スリーブ１３，及びバンド１２の形状を、半径Ｒ１及び半径Ｒ２と説明しているが、これは、各形状が円弧状でない弧状の場合、半径を曲率半径と置き換えることができる。また、部材それぞれの曲率半径が部位によって（例えば端部と中央部とで）大きく異なる場合は、平均の曲率半径と置き換えてよい。
【００５９】
以上詳述したように、スリーブ１３がヘッドパッド１１に内嵌するヘッドホン５１，５２及び外嵌するヘッドホン５１Ａ，５２Ａは、スリーブ１３，１３Ａの指によるスライド操作で側圧調整を容易に行うことができる。
【符号の説明】
【００６０】
１，１Ａ  ヘッドバンド
１１，１１Ａ  ヘッドパッド
１１１，１１１Ａ  パッド基部
１１２  収容部
１１２ａ  ストッパ
１１２ｂ，１１２ｃ  内壁
１１３  固定壁部
１１３ａ  貫通孔
１１４  係合腕部
１１４ａ  腕片部
１１４ｂ  係合凸部
１１５  端面
１２，１２Ａ  バンド
１２１  ハンガー位置指示部
１２１ａ，１２１ｂ  マーク
１２２  外面
１２４  中央部
１２５，１２５Ａ  延出部
１２６  端部
１３，１３Ａ  スリーブ
１３１  スリーブ頭部
１３２  基部
１３３  係合凹部
１３３Ｇ  係合凹部群
１３４  当て部
１３５  外側溝部
１３６  内側溝部
１３７  スリーブ長指示部
１３７ａ  マーク
１３８  貫通孔
２１  ハンガー部
２１１  ピボット支持部
３１  ハウジング
３２  イヤーパッド
５１，５２，５１Ａ，５２Ａ  ヘッドホン
Ｌ０，Ｌ２，Ｌ２２，Ｌ３  距離
Ｌ１  移動距離
Ｐ１  変形支点
Ｐ２１，Ｐ２２，Ｐ２３  基準点
Ｐ２α  使用時基準点
Ｒ１，Ｒ２  半径
ＳＰ  スピーカユニット
ＴＨ  調整量把握部
【図１】
2020014108.tif 000003
【図２】
2020014108.tif 000004
【図３】
2020014108.tif 000005
【図４】
2020014108.tif 000006
【図５】
2020014108.tif 000007
【図６】
2020014108.tif 000008
【図７】
2020014108.tif 000009
【図８】
2020014108.tif 000010
【図９】
2020014108.tif 000011
【図１０】
2020014108.tif 000012